(57)【要約】【課題】子供見守りシステム等に用いられる無線ＩＣタグ無線ＩＣタグの電池切れを防ぐ。【解決手段】ＣＰＵ１１及びメモリ１２と、メモリ１２に記憶されている情報を外部に無線送信する送信部１４と、外部から無線送信されてくる情報を受信する受信部１３と、ＣＰＵ１１、メモリ１２、及び送信部１４に電力を供給する電池１８と、１８電池から送信部１４への電力供給状態を制御する電力供給状態制御部４１３と、を有する無線ＩＣタグ１０に、送信部１４への電力供給が停止しており、かつ、受信部１３が、第１の情報を受信した後、第２の情報を受信した場合に送信部１４への電力供給を開始させ、送信部１４への電力供給が行われており、かつ、受信部１３が、第３の情報を受信した後、第４の情報を受信した場合に送信部１４への電力供給を停止させるようにする。【選択図】図２
2008123226.tif 000002
【特許請求の範囲】
【請求項１】
ＣＰＵ及びメモリと、
前記メモリに記憶されている情報を外部に無線送信する送信部と、
外部から無線送信されてくる情報を受信する受信部と、
前記ＣＰＵ、前記メモリ、及び前記送信部に電力を供給する電池と、
前記電池から前記送信部への電力供給状態を制御する電力供給状態制御部と、
を有し、
前記電力供給状態制御部は、
前記送信部への電力供給が停止しており、かつ、前記受信部が、第１の情報を受信した後、第２の情報を受信した場合に、前記送信部への電力供給を開始させ、
前記送信部への電力供給が行われており、かつ、前記受信部が、第３の情報を受信した後、第４の情報を受信した場合に、前記送信部への電力供給を停止させること
を特徴とする無線ＩＣタグ。
【請求項２】
請求項１に記載の無線ＩＣタグであって、
前記第３の情報は前記第２の情報であり、
前記第４の情報は前記第１の情報であること
を特徴とする無線ＩＣタグ。
【請求項３】
請求項１に記載の無線ＩＣタグであって、
前記電池の電圧を測定する回路と、
前記電池の電圧が所定値以下となった場合に、その旨を示す情報を出力する回路と、
を有すること
を特徴とする無線ＩＣタグ。
【請求項４】
請求項１に記載の無線ＩＣタグであって、
前記電池の電圧を測定する回路と、
前記電池の電圧が所定値以下になるとその旨を示す情報を前記送信部から無線送信する回路と、
を有すること
を特徴とする無線ＩＣタグ。
【請求項５】
請求項１に記載の無線ＩＣタグであって、
入力装置と、
前記入力装置に対して行われる操作入力に応じて音を発する音声出力装置と、
をさらに有し、
前記電力供給状態制御部は、
前記受信部が、第１の情報を受信した後、第２の情報を受信した場合に、前記音声出力装置への電力供給を開始させ、
前記受信部が、第３の情報を受信した後、第４の情報を受信した場合に、前記音声出力装置への電力供給を停止させること
を特徴とする無線ＩＣタグ。
【請求項６】
請求項１に記載の無線ＩＣタグであって、
ハードウエアスイッチと、
前記ＣＰＵによって制御されるソフトウエアスイッチと、
を有し、
前記ＣＰＵ、前記メモリ、及び前記受信部には、前記ハードウエアスイッチを介して前記電池から電力が供給され、
前記送信部には、前記ソフトウエアスイッチを介して前記電池から電力が供給されること
を特徴とする無線ＩＣタグ。
【請求項７】
ＣＰＵ及びメモリと、
前記メモリに記憶されている情報を外部に無線送信する送信部と、
外部から無線送信されてくる情報を受信する受信部と、
前記ＣＰＵ、前記メモリ、及び前記送信部に電力を供給する電池と、
前記電池から前記送信部への電力供給状態を制御する電力供給状態制御部と、
を有する無線ＩＣタグの制御方法であって、
前記送信部への電力供給が停止しており、かつ、前記受信部が、第１の情報を受信した後、第２の情報を受信した場合に、前記送信部への電力供給を開始させ、
前記送信部への電力供給が行われており、かつ、前記受信部が、第３の情報を受信した後、第４の情報を受信した場合に、前記送信部への電力供給を停止させること
を特徴とする無線ＩＣタグの制御方法。
【発明の詳細な説明】
【技術分野】
【０００１】
本発明は、無線ＩＣタグ及び無線ＩＣタグの制御方法に関し、とくに子供見守りシステム等に用いられる無線ＩＣタグの電池切れを防ぎ、システムの機能停止を防ぐ技術に関する。
【背景技術】
【０００２】
昨今、通学途中などにおいて子供が犯罪に遭う事件が多発しており、そのような犯罪から子供を守るための対策が模索されている。そのような対策の１つとして、例えば特許文献１には、児童の所持品（安全帽等）に児童ＩＤを記憶している無線ＩＣタグを取り付け、児童の自宅及び児童の通う学校に無線ＩＣタグから児童ＩＤを読み取る無線読み取り装置を設け、児童が自宅を出発する際、無線読み取り装置が児童ＩＤと登校開始時刻をサーバ装置に送信し、サーバ装置が登録された行動予定データと受信した登校開始時刻から児童の登校完了予想時刻を計算し、児童が学校に到着して学校の無線読み取り装置を通過した際に読み取った児童ＩＤとその時刻である登校完了時刻をサーバ装置に送信し、サーバ装置が児童ＩＤと登校完了時刻を受信した場合に児童が登校を完了した旨の通報を保護者が所持する端末装置等に送信し、サーバ装置が登校完了予想時刻を超えて所定時間経過しても児童ＩＤと登校完了時刻を受信できない場合に、児童がいまだに登校を完了していない旨の通報を端末装置に送信するシステムが記載されている。
【０００３】
また非特許文献１には、児童などの見守り対象者に無線ＩＣタグを携帯させ、登下校時等の外出時に何らかの問題があった場合に見守り対象者が無線ＩＣタグの通報ボタンを押すと無線ＩＣタグの付近にある見守りスポット（無線ＩＣタグの電波を受信する受信機）に電波が送信され、近所の保護者や警備員が助けに来たり、見守り対象者が見守りスポットのそばや校門を通過すると保護者宛に通過情報がメールで通知される子供見守りシステムが開示されている。
【特許文献１】特開２００５−１８２４６８号公報
【非特許文献１】株式会社ＮＴＴデータ／東急セキュリティ株式会社／イッツ・コミュニケーションズ、”２００５年ニュースリリース，アイセイフティ「子供見守りサービス」実証実験の結果報告について”、[online]、平成１７年９月３０日、[平成１８年１０月２７日検索、インターネット、＜URL: http://www.nttdata.co.jp/release/2005/093001.html＞
【発明の開示】
【発明が解決しようとする課題】
【０００４】
ところで、無線ＩＣタグを用いたこれらのシステムにおいては、無線ＩＣタグの電池が切れてしまうとシステムが停止してしまう。とくに前述のような子供の安全確保を目的とするシステムでは、機能停止という事態は許されず、電池切れを防ぐための仕組みが必須である。
【０００５】
本発明はこのような背景に鑑みてなされたもので、子供見守りシステム等に用いられる無線ＩＣタグの電池切れを防ぎシステムの機能停止を防ぐことが可能な無線ＩＣタグ及び無線ＩＣタグの制御方法を提供することを目的とする。
【課題を解決するための手段】
【０００６】
上記目的を達成するための請求項１に記載の発明は、無線ＩＣタグであって、ＣＰＵ及びメモリと、前記メモリに記憶されている情報を外部に無線送信する送信部と、外部から無線送信されてくる情報を受信する受信部と、前記ＣＰＵ、前記メモリ、及び前記送信部に電力を供給する電池と、前記電池から前記送信部への電力供給状態を制御する電力供給状態制御部と、を有し、前記電力供給状態制御部は、前記送信部への電力供給が停止しており、かつ、前記受信部が、第１の情報を受信した後、第２の情報を受信した場合に、前記送信部への電力供給を開始させ、前記送信部への電力供給が行われており、かつ、前記受信部が、第３の情報を受信した後、第４の情報を受信した場合に、前記送信部への電力供給を停止させることとする。
【０００７】
本発明の無線ＩＣタグは、例えば、前述の見守り対象者によって携帯される。前記送信部が外部に無線送信する前記情報は、無線ＩＣタグを特定するための識別情報（タグＩＤ）であり、前述の見守りスポット（無線ＩＣタグの電波を受信する受信機）などによって受信される。
【０００８】
前記受信部が受信する第１の情報及び第２の情報は、前記送信部への電力供給を開始させたい場所に配置された２台の送信機のそれぞれから無線送信されてくる情報であり、本発明の無線ＩＣタグは、第１の情報を受信した後、第２の情報を受信すると、送信部への電力供給を開始させる。また受信部が受信する第３の情報及び第４の情報は、送信部への電力供給を停止させたい場所に配置された２台の送信機のそれぞれから無線送信される情報であり、本発明の無線ＩＣタグは、第３の情報を受信した後、情報を受信すると、送信部への電力供給を停止させる。
【０００９】
従って、無線ＩＣタグを携帯する者が、電力供給を開始させたい場所を通過すれば自動的に送信部への電力供給が開始され、電力供給を停止させたい場所を通過すれば自動的に送信部への電力供給が停止される。このため、例えば自宅の入り口に第１の情報を無線送信する送信機を設置しておき、自宅の門に第２の情報を無線送信する送信機を設置しておくようにすれば、登校に際し無線ＩＣタグを携帯した子供が自宅を出ると無線ＩＣタグの送信部への電力供給が自動的に開始されることとなる。また例えば校門に第３の情報を無線送信する送信機を設置しておき、校舎入口に第４の情報を無線送信する送信機を設置しておけば、登校に際し無線ＩＣタグを携帯した子供が校舎に入ると無線ＩＣタグの送信部への電力供給が自動的に停止されることとなる。
【００１０】
このように、本発明の無線ＩＣタグによれば、送信部への電力供給が必要な登校中の間のみ、送信部への電力供給が行われ、子供が自宅に居る間や学校に居る間等は送信部への電力供給が停止され、電力の無駄な消費を抑えることができるとともに、電池切れを有効に防ぐことができる。
【００１１】
なお、前述した子供見守りシステム等に用いられる無線ＩＣタグの送信部は、動作中に識別情報を繰り返し送信するため、無線ＩＣタグの構成要素の中でもとくに電力消費が大きな部分である。このため、送信部への電力供給を停止させることにより無線ＩＣタグ全体の消費電力が大幅に低減され、電池切れを有効に防ぐことができる。また送信部への電力供給の開始は、第１の情報と第２の情報の双方を受信した場合に行われるので、誤動作により送信部への電力供給が開始されてしまうのを防ぐことができる。また送信部への電力供給の停止は、第３の情報と第４の情報の双方を受信した場合に行われるので、誤動作によって送信部への電力供給が停止されてしまうのを防ぐことができる。
【００１２】
本発明の請求項２に記載の発明は、請求項１に記載の無線ＩＣタグであって、前記第３の情報は前記第２の情報であり、前記第４の情報は前記第１の情報であることとする。  
このようにすることで、第３の情報を送信する送信機、第２の情報を送信する送信機を用い、第４の情報を送信する送信機として第１の情報を送信する送信機を用いることができる。すなわち、第１の情報と第２の情報のいずれを先に受信するかによって送信部への電源供給を制御するため、送信機として、第３の情報を送信する送信機、及び第４の情報を送信する送信機を用意する必要がなくなる。
【００１３】
本発明の請求項３に記載の発明は、請求項１に記載の無線ＩＣタグであって、前記電池の電圧を測定する回路と、前記電池の電圧が所定値以下となった場合に、その旨を示す情報を出力する回路と、を有する。  
本発明によれば、電池電圧が所定値以下となった場合には、その旨を示す情報が液晶ディスプレイなどの表示装置やスピーカなどの音声出力装置に出力される。すなわち、電池切れの前に警告が出てユーザに電池の交換又は充電を促すので、登下校中等の無線ＩＣタグの使用時に電池切れになってしまう事を防ぐ事ができる。また本発明と送信部への電力供給を停止することによる前述の省電力機能とによって、使用中の電池切れをより確実に防ぐことができる。
【００１４】
本発明の請求項４に記載の発明は、請求項１に記載の無線ＩＣタグであって、前記電池の電圧を測定する回路と、前記電池の電圧が所定値以下になると、その旨を示す情報を前記送信部から無線送信する回路とを有する。  
例えば、登下校中に電池切れになり、無線ＩＣタグからの識別情報を取得できなくなった場合には、子供見守りシステム側ではそれが事故によるものか電池切れを判定することが困難だが、本発明のように、無線ＩＣタグが電池電圧が低下している旨を自動的に送信することで、子供見守りシステム側で識別情報を取得できなかった原因が電池切れによるものであることを知ることができる。
【００１５】
本発明の請求項５に記載の発明は、請求項１に記載の無線ＩＣタグであって、入力装置と、前記入力装置に対して行われる操作入力に応じて音を発する音声出力装置と、をさらに有し、前記電力供給状態制御部は、前記受信部が、第１の情報を受信した後、第２の情報を受信した場合に前記音声出力装置への電力供給を開始させ、前記受信部が、第３の情報を受信した後、第４の情報を受信した場合に前記音声出力装置への電力供給を停止させることとする。  
ここでいう音声出力装置とは、例えば、警報ブザーであり、子供等の見守り対象者が身の危険を感じた際に大音を発して周囲の人に危険を知らせる危険通報装置である。前述の発明では、消費電力低減のために電力供給を停止させる対象を送信部としているが、このような音声出力装置を備える無線ＩＣタグの場合には、さらにこの音声出力装置を電力供給を停止する対象とすることができる。
【００１６】
本発明の請求項６に記載の発明は、請求項１に記載の無線ＩＣタグであって、ハードウエアスイッチと、前記ＣＰＵによって制御されるソフトウエアスイッチとを有し、前記ＣＰＵ、前記メモリ、及び前記受信部には、前記ハードウエアスイッチを介して前記電池から電力が供給され、前記送信部には、前記ソフトウエアスイッチを介して前記電池から電力が供給されることとする。  
送信部への電力供給の制御は、例えばこのようなソフトウエアスイッチによって容易に実現することができる。
【００１７】
本発明の請求項７に記載の発明は、ＣＰＵ及びメモリと、前記メモリに記憶されている情報を外部に無線送信する送信部と、外部から無線送信されてくる情報を受信する受信部と、前記ＣＰＵ、前記メモリ、及び前記送信部に電力を供給する電池と、前記電池から前記送信部への電力供給状態を制御する電力供給状態制御部と、を有する無線ＩＣタグの制御方法であって、前記送信部への電力供給が停止しており、かつ、前記受信部が、第１の情報を受信した後、第２の情報を受信した場合に前記送信部への電力供給を開始させ、前記送信部への電力供給が行われており、かつ、前記受信部が、第３の情報を受信した後、第４の情報を受信した場合に前記送信部への電力供給を停止させることとする。
【発明の効果】
【００１８】
本発明によれば、子供見守りシステムなどに用いられる無線ＩＣタグの電池切れを防止することができる。
【発明を実施するための最良の形態】
【００１９】
以下、本発明の一実施形態につき詳細に説明する。図１に本発明の一実施形態として説明する子供見守りシステム１の概略的な構成を示している。同図に示す子供見守りシステム１は、学校の登下校時等に際し安全帽やランドセルなどに取り付けて子供に携帯させる無線ＩＣタグ１０と、通学路やその周辺地域を含む複数の場所に設置されている基地局３０と、これら基地局３０が通信可能に接続しているサーバ４０と、サーバ４０とインターネット等を介して通信可能に接続されるコンピュータである監視装置５０と、を含んで構成されている。
【００２０】
サーバ４０は、例えば、子供見守りシステム１を運営する組織によって運用されるコンピュータである。監視装置５０は、例えば、子供の保護者が所有する携帯電話機やパーソナルコンピュータである。
【００２１】
無線ＩＣタグ１０は、自身に記憶されている識別情報（以下、タグＩＤと称する。）を、所定の短い時間間隔（例えば数ｍｓごと）で繰り返し無線送信する。無線ＩＣタグ１０の周辺に存在する基地局３０は、無線ＩＣタグ１０から無線送信されるタグＩＤを受信すると、受信したタグＩＤと基地局３０ごとに付与されている識別情報（以下、基地局ＩＤと称する。）をサーバ４０に送信する。
【００２２】
サーバ４０は、基地局ＩＤと、基地局ＩＤの位置を示す情報（以下、位置情報と称する。）とを対応づけて記憶しており、サーバ４０は、基地局ＩＤとタグＩＤとを受信すると、受信した基地局ＩＤに対応する位置情報を取得し、取得した位置情報を無線ＩＣタグ１０の現在位置として特定し、特定した位置情報を電子メールやＷｅｂページなどにより監視装置５０に提供する。すなわち、これにより保護者等は、無線ＩＣタグ１０を携帯している子供等の見守り対象者の現在位置をリアルタイムに知ることができる。
【００２３】
また無線ＩＣタグ１０は、不審者等が現れた際、自動的に緊急通報を行う機能を備えている。無線ＩＣタグ１０に対して所定の操作が行われると、タグＩＤを含む緊急通報が無線ＩＣタグ１０から無線送信され、基地局３０は、緊急通報及びタグＩＤを受信すると、受信したタグＩＤ、自身の基地局ＩＤ、及び緊急通報をサーバ４０に送信する。サーバ４０は、基地局３０から緊急通報を受信すると、緊急通報に付帯して受信した基地局ＩＤに対応する位置情報を取得し、緊急通報を発した無線ＩＣタグ１０の現在位置を取得する。さらにサーバ４０は、位置情報と、緊急に現場に駆けつける支援者（以下、駆けつけ支援者と称する。）に関する情報（以下、支援者情報と称する。）とを対応づけて記憶しており、緊急通報を受信すると、取得した上記位置情報に対応する支援者情報を取得し、支援者情報から特定される連絡先（電子メールアドレスや電話番号）に、電子メールや自動電話により緊急通報があった旨及び緊急通報を発した無線ＩＣタグ１０の現在位置（発生場所）を通知する。
【００２４】
以上のように、本実施形態の子供見守りシステム１によれば、保護者等は、子供の現在位置をリアルタイムに知る事ができる。また緊急時は現場周辺に存在する駆けつけ支援者を現場に急行させる事ができるので、子供を犯罪等から守ることができる。このように、子供見守りシステム１によれば、登下校時等の外出時における見守り対象者を監視することができ、見守り対象者の安全を確保することができる。
【００２５】
図２に無線ＩＣタグ１０のハードウエア構成を示している。無線ＩＣタグ１０は、いわゆるアクティブタイプのＲＦＩＤタグ（RFID:Radio Frequency IDentification）であり、内蔵電池等のエネルギーによって電波を発するタイプのＩＣタグである。無線ＩＣタグ１０は、ＣＰＵ１１、メモリ１２（ＲＡＭ／ＲＯＭ）、外部から送信されてくる情報を受信する受信部１３、メモリ１２に格納されている識別情報（タグＩＤ）等を外部に送信する送信部１４、ユーザからの操作入力を受け付ける入力装置１５、無線ＩＣタグ１０の動作状態（電源オン、スタンバイ、オフ等）や電池残量等の各種情報が表示される表示装置１６、警告音等の音声を発する警報ブザー等の音声出力装置１７、乾電池や二次電池等の電池１８、電池１８からＣＰＵ１１、メモリ１２、受信部１３への電源供給を手動制御するハードウエアスイッチ１９、電池１８から送信部１４への電源供給をＣＰＵ１１の制御によってソフトウエア的に制御するソフトウエアスイッチ２０、電池電圧を取得する電圧取得部２１等を含んで構成されている。
【００２６】
図２において、実線はバスライン１０１を、破線は電源供給ライン１０２を示している。同図に示すように、ＣＰＵ１１、プログラムや識別情報（タグＩＤ）等が記憶されるメモリ１２、受信部１３、送信部１４、入力装置１５、表示装置１６、音声出力装置１７、ソフトウエアスイッチ２０、及び電圧取得部２１は、バスライン１０１を介して互いに通信可能に接続されている。電池１８からＣＰＵ１１、メモリ１２、受信部１３、及び電圧取得部２１への電力供給は、ハードウエアスイッチ１９を介して行われる。また電池から送信部１４、入力装置１５、表示装置１６，音声出力装置１７、ソフトウエアスイッチ２０への電力供給は、ソフトウエアスイッチ２０を介して行われる。なお、ハードウエアスイッチ１９は、「電源オン」、「スタンバイ」、「電源オフ」の３つの接点を有している。
【００２７】
図３にハードウエアスイッチ１９又はソフトウエアスイッチ２０によって行われる、無線ＩＣタグ１０の電力供給状態の制御を説明する状態遷移図を示している。同図に示すように、無線ＩＣタグ１０は、電源オフ３１０、スタンバイ３２０、電源オン３３０の３つの電力供給状態を取る。
【００２８】
同図において、電源オフ３１０の状態では、ハードウエアスイッチ１９及びソフトウエアスイッチ２０からの電力供給が停止する。この状態の時、消費電力はゼロである。スタンバイ３２０の状態では、ハードウエアスイッチ１９からの電力供給は行われるが、ソフトウエアスイッチ２０からの電力供給は停止する。この状態の時、送信部１４、入力装置１５、表示装置１６、及び音声出力装置１７の消費電力はゼロである。電源オン３３０の状態では、ハードウエアスイッチ１９及びソフトウエアスイッチ２０の双方から電力供給が行われる。この状態では、電池の電力を必要とする無線ＩＣタグ１０の全ての構成要素に対して電力が供給される。
【００２９】
図３に示すように、電源オフ３１０の状態と電源オン３３０の状態と間の直接的な遷移は、ハードウエアスイッチ１９の設定を「電源オフ」から「電源オン」にした場合（Ｓ３１１）、又はハードウエアスイッチ１９の設定を「電源オン」から「電源オフ」にした場合（Ｓ３１２）に生じる。また電源オフ３１０の状態とスタンバイ３２０の状態との間の直接的な遷移は、ハードウエアスイッチ１９の設定を「電源オフ」から「スタンバイ」にした場合（Ｓ３１３）、又は「スタンバイ」から「電源オフ」にした場合（Ｓ３１４）に生じる。またスタンバイ３２０の状態と電源オン３３０の状態との間の直接的な遷移は、ハードウエアスイッチ１９の設定を「スタンバイ」から「電源オン」にした場合（Ｓ３１５）、又は「電源オン」から「スタンバイ」にした場合（Ｓ３１６）に生じる。なお、後述するように、スタンバイ３２０の状態と電源オン３３０の状態との間の直接的な遷移は、ソフトウエアスイッチ２０によっても自動的に行われる。
【００３０】
図４に無線ＩＣタグ１０のソフトウエア構成図を示している。なお、同図に示す各機能部は、ＣＰＵ１１がメモリ１２に記憶されているプログラムを実行することにより実現される。
【００３１】
同図に示す機能のうちタグＩＤ送信処理部４１１は、電源オン３３０の状態になっている際、送信部１４からタグＩＤを所定の時間間隔（数ｍｓ間隔等）で繰り返し無線送信（間欠送信）する。なお、スタンバイ３２０の状態では送信部１４は機能していないため、タグＩＤの送信は行われない。
【００３２】
緊急通報処理部４１２は、入力装置１５に緊急通報のための所定の操作入力が行われた場合に緊急通報をタグＩＤとともに送信部１４から無線送信する。電力供給状態制御部４１３は、無線ＩＣタグ１０の電力供給状態の制御を行う。具体的には、電力供給状態制御部４１３は、外部から受信した情報に基づいて、スタンバイ３２０の状態から電源オン３３０の状態、又は電源オン３３０の状態からスタンバイ３２０の状態に自動的に遷移させる。
【００３３】
電圧監視部４１４は、電圧取得部２１によって取得される電池電圧をリアルタイムに監視しており、電池電圧が所定の閾値を下回ると、その（電池切れが近付いている旨）を示す情報が表示装置１６又は音声出力装置１７に出力する。また電圧監視部４１４は、電池電圧が所定の閾値を下回る旨を示す情報を、タグＩＤとともに送信部１４から無線送信する。なお、この情報及びタグＩＤはこれを受信した基地局３０によってサーバ４０に送信され、サーバ４０はこの情報を電子メールやＷｅｂページにより監視装置５０に提供する。
【００３４】
次に、電力供給状態制御部４１３が、外部から送信されてくる情報に応じて行う、スタンバイ３２０の状態から電源オン３３０の状態、又は電源オン３３０の状態からスタンバイ３２０の状態への自動的な切り換え制御の仕組みについて詳述する。ここで外部から無線送信されてくる情報は、スタンバイ３２０の状態から電源オン３３０の状態、又は電源オン３３０の状態からスタンバイ３２０の状態に自動的に遷移させたい場所に予め設置されている送信機から無線送信される。
【００３５】
図５Ａは、スタンバイ３２０の状態から電源オン３３０の状態への自動的な切り換えを行わせたい場合の送信機の設置例である。同図に示すようにそのような場所には２台の送信機（以下、それぞれ第１の送信機６１、第２の送信機６２と称する。）を設置する。なお、これら２台の送信機６１，６２は、各々から送信される電波が干渉しないように所定の間隔をおいて設置する。同図に示す円は、各送信機６１，６２から送信される情報の受信可能範囲を示している。
【００３６】
同図に示すように、第１の送信機６１からは第１の情報を所定の間隔（数ｍｓ間隔等）で繰り返し無線送信（間欠送信）し、第２の送信機６２からは第２の情報を所定の間隔（数ｍｓ間隔等）で繰り返し無線送信（間欠送信）する。同図において、矢印の方向に無線ＩＣタグ１０が通過した場合、無線ＩＣタグ１０の受信部１３は、第１の情報を受信した後、第２の情報を受信する。この際、無線ＩＣタグ１０がスタンバイ３２０の状態になっていれば、電力供給状態制御部４１３は、無線ＩＣタグ１０の状態をスタンバイ３２０の状態から電源オン３３０の状態に自動的に切り換える。
【００３７】
図５Ｂは、電源オン３３０の状態からスタンバイ３２０の状態への自動的な切り換えを行わせたい場合の送信機の設置例である。同図に示すように、そのような場所には２台の送信機（以下、それぞれ第３の送信機６３、第４の送信機６４と称する。）を設置する。なお、これら２台の送信機６３，６４は、各々から送信される電波が干渉しないように所定の間隔をおいて設置される。同図に示す円は、各送信機６３，６４から送信される情報の受信可能範囲を示している。
【００３８】
同図に示すように、第３の送信機６３からは第３の情報を所定の間隔（数ｍｓ間隔等）で繰り返し無線送信（間欠送信）する。第４の送信機６４からは第４の情報を所定の間隔（数ｍｓ間隔等）で繰り返し無線送信（間欠送信）する。同図において、矢印の方向に無線ＩＣタグ１０が通過した場合、無線ＩＣタグ１０の受信部１３は、第３の情報を受信した後、第４の情報を受信する。この際、無線ＩＣタグ１０が電源オン３３０の状態になっていれば、電力供給状態制御部４１３は、無線ＩＣタグ１０の状態を電源オン３３０の状態からスタンバイ３２０の状態に自動的に切り換える。
【００３９】
図６に、以上の制御に際し無線ＩＣタグ１０によって行われる処理の詳細を示している。同図に示すように、電力供給状態制御部４１３は、受信部１３が情報を受信したかどうかをリアルタイムに監視している（Ｓ６１１）。受信部１３が情報を受信すると（Ｓ６１１：ＹＥＳ）、電力供給状態制御部４１３は、受信した情報が第１の情報又は第３の情報であるかどうかを調べる（Ｓ６１２）。受信した情報が第１の情報であった場合には（Ｓ６１２：第１の情報）、Ｓ６１３に進み、第３の情報であった場合には（Ｓ６１２：第３の情報）、Ｓ６１４に進む。
【００４０】
なお、第１の情報である場合（Ｓ６１２：第１の情報）は、無線ＩＣタグ１０の所持者が図５Ａにおいて矢印の方向に移動した場合であり、第３の情報である場合（Ｓ６１２：第１の情報）は、無線ＩＣタグ１０の所持者が図５Ｂにおいて矢印の方向に移動した場合である。
【００４１】
Ｓ６１３では、電力供給状態制御部４１３は、現在の状態がスタンバイ３２０の状態かどうかを判断し、スタンバイ３２０の状態であれば（Ｓ６１３：ＹＥＳ）、Ｓ６１５に進む。そうでなければ（Ｓ６１３：ＮＯ）、Ｓ６１１に戻る。
【００４２】
Ｓ６１５では、電力供給状態制御部４１３は、受信部１３が何らかの情報を受信したかどうかを判断する。そして、何らかの情報を受信した場合には（Ｓ６１５：ＹＥＳ）、受信した情報が第２の情報かどうかを調べる（Ｓ６１６）。受信した情報が第２の情報であった場合には（Ｓ６１６：ＹＥＳ）、無線ＩＣタグ１０の電源制御状態を、スタンバイ３２０の状態から電源オン３３０の状態に切り換える（Ｓ６１７）。一方、受信した情報が第２の情報でない場合は（Ｓ６１７：ＮＯ）、Ｓ６１５に戻る。Ｓ６１７の後は、Ｓ６１１に戻る。
【００４３】
一方、Ｓ６１４では、電力供給状態制御部４１３は、現在の状態が電源オン３３０の状態であるかどうかを判断し、電源オン３３０の状態であれば（Ｓ６１４：ＹＥＳ）、Ｓ６１９に進む。そうでなければ（Ｓ６１４：ＮＯ）、Ｓ６１１に戻る。
【００４４】
Ｓ６１９では、電力供給状態制御部４１３は、受信部１３が何らかの情報を受信したかどうかを判断する。そして、何らかの情報を受信した場合には（Ｓ６１９：ＹＥＳ）、受信した情報が第４の情報かどうかを調べる（Ｓ６２１）。受信した情報が第４の情報であった場合には（Ｓ６２１：ＹＥＳ）、無線ＩＣタグ１０の電源制御状態を、電源オン３３０の状態からスタンバイ３２０の状態に切り換える（Ｓ６２２）。一方、受信した情報が第４の情報でない場合には（Ｓ６２１：ＮＯ）、Ｓ６１９に戻る。Ｓ６２２の後は、Ｓ６１１に戻る。
【００４５】
ところで、以上に説明した処理において、第３の情報を第２の情報とし、第４の情報を第１の情報としても、すなわち、第３の送信機６３から第２の情報を、第４の送信機６４から第４の情報を送信するようにしても、無線ＩＣタグ１０の電力供給状態を同様に制御することができる。このようにする事で、無線ＩＣタグ１０にかかる判断処理が単純化されて処理負荷が軽減される。また第３の情報や第４の情報の管理が不要となり、システムの管理負担を軽減できる。以下、この場合の処理を図７とともに説明する。
【００４６】
電力供給状態制御部４１３は、受信部１３が情報を受信したかどうかをリアルタイムに監視している（Ｓ７１１）。受信部１３が情報を受信すると（Ｓ７１１：ＹＥＳ）、電力供給状態制御部４１３は、受信した情報が第１の情報又は第２の情報であるかどうかを調べる（Ｓ７１２）。受信した情報が第１の情報であった場合には（Ｓ７１２：第１の情報）、Ｓ７１３に進み、第２の情報であった場合には（Ｓ７１２：第２の情報）、Ｓ７１４に進む。
【００４７】
Ｓ７１３では、電力供給状態制御部４１３は、現在の状態がスタンバイ３２０の状態かどうかを判断し、スタンバイ３２０の状態であれば（Ｓ７１３：ＹＥＳ）、Ｓ７１５に進む。そうでなければ（Ｓ７１３：ＮＯ）、Ｓ７１１に戻る。
【００４８】
Ｓ７１５では、電力供給状態制御部４１３は、受信部１３が何らかの情報を受信したかどうかを判断する。そして、何らかの情報を受信した場合には（Ｓ７１５：ＹＥＳ）、受信した情報が第２の情報かどうかを調べる（Ｓ７１６）。受信した情報が第２の情報であった場合には（Ｓ７１６：ＹＥＳ）、無線ＩＣタグ１０の電源制御状態を、スタンバイ３２０の状態から電源オン３３０の状態に切り換える（Ｓ７１７）。一方、受信した情報が第２の情報でない場合は（Ｓ７１６：ＮＯ）、Ｓ７１５に戻る。Ｓ７１７の後は、Ｓ７１１に戻る。
【００４９】
一方、Ｓ７１４では、電力供給状態制御部４１３は、現在の状態が電源オン３３０の状態であるかどうかを判断し、電源オン３３０の状態であれば（Ｓ７１４：ＹＥＳ）、Ｓ７１９に進む。そうでなければ（Ｓ７１４：ＮＯ）、Ｓ７１１に戻る。
【００５０】
Ｓ７１９では、電力供給状態制御部４１３は、受信部１３が何らかの情報を受信したかどうかを判断する。そして、何らかの情報を受信した場合には（Ｓ７１９：ＹＥＳ）、受信した情報が第１の情報かどうかを調べる（Ｓ７２０）。受信した情報が第１の情報であった場合には（Ｓ７２０：ＹＥＳ）、無線ＩＣタグ１０の電源制御状態を、電源オン３３０の状態からスタンバイ３２０の状態に切り換える（Ｓ７２１）。一方、受信した情報が第１の情報でない場合には（Ｓ７２０：ＮＯ）、Ｓ７１９に戻る。Ｓ７２１の後は、Ｓ７１１に戻る。
【００５１】
ところで、以上に説明した機能を有する無線ＩＣタグ１０を子供に携帯させ、例えば図８Ａに示すように、子供の自宅の入り口に第１の情報を送信する第１の送信機６１を、自宅の門に第２の情報を送信する第２の送信機６２を設置するようにすれば、登校時に子供が自宅から外に出る際、無線ＩＣタグ１０の状態をスタンバイ３２０の状態から電源オン３３０の状態に自動的に切り換えることができる。
【００５２】
また同図に示すように、学校の門に第２の情報を送信する第２の送信機６２を設置し、校舎入り口に第１の情報を送信する第１の送信機６１を設置しておけば、登校時に子供が校舎に入る際、無線ＩＣタグ１０の状態を電源オン３３０の状態からスタンバイ３２０の状態に自動的に切り換えることができる。
【００５３】
一方、下校時には上記動作は登校時の場合と全く逆になる。すなわち、下校時に子供が校庭から外にでると無線ＩＣタグ１０は自動的に電源オン３３０の状態になり、自宅に戻ると自動的にスタンバイ３２０の状態になる（図８Ｂを参照）。
【００５４】
このように、無線ＩＣタグ１０は、登校時又は下校時には自動的に電源オン３３０の状態になり、在宅時や在校時には自動的にスタンバイ３２０の状態になる。このため、在宅時や在校時等の無線ＩＣタグ１０を利用していない時間における電池の消費電力を抑えることができる。また無線ＩＣタグ１０の電源を意識的にオンオフする必要がないので、無線ＩＣタグ１０の取り扱いが楽になり、電源の切り忘れや電源の入れ忘れを防ぐことができる。
【００５５】
ところで、以上の実施形態の説明は、本発明の理解を容易にするためのものであり、本発明を限定するものではない。本発明はその趣旨を逸脱することなく、変更、改良され得ると共に本発明にはその等価物が含まれることは勿論である。
【００５６】
例えば、以上の実施形態の説明では、２つの送信機から送信される第１の情報及び第２の情報を受信した場合に電力供給状態を制御する場合について説明したが、さらに多くの送信機を設置し、各送信機から送信される情報を所定の順番で受信した場合にスタンバイ３２０から電源オン３３０、又は電源オン３３０からスタンバイ３２０への切り換えを行うようにしてもよい。
【００５７】
基地局３０に第１の情報や第２の情報を送信する前述した送信機の機能を持たせるようにしてもよい。また送信機から送信される第１の情報や第２の情報を受信できず、基地局３０から送信されてくる所定の情報を受信した場合にスタンバイ３２０から電源オン３３０に自動的に切り換えるようにしてもよい。これにより、例えば、多数の子供が同時に校門を通過するなどして第１の情報又は第２の情報を受信できなかった場合でも、確実に無線ＩＣタグ１０を電源オン３３０の状態に切り換えることができる。
【図面の簡単な説明】
【００５８】
【図１】本発明の一実施形態として説明する子供見守りシステム１の概略的な構成を示す図である。
【図２】本発明の一実施形態として説明する無線ＩＣタグ１０のハードウエア構成を示す図である。
【図３】本発明の一実施形態として説明する無線ＩＣタグ１０の電力供給状態の制御を説明する状態遷移図である。
【図４】本発明の一実施形態として説明する無線ＩＣタグ１０のソフトウエア構成を示す図である。
【図５Ａ】本発明の一実施形態として説明する、スタンバイ３２０の状態から電源オン３３０の状態への自動的な切り換えを行わせたい場合の送信機の設置例を示す図である。
【図５Ｂ】本発明の一実施形態として説明する、電源オン３３０の状態からスタンバイ３２０の状態への自動的な切り換えを行わせたい場合の送信機の設置例を示す図である。
【図６】本発明の一実施形態として説明する、電力供給状態制御に際し無線ＩＣタグ１０によって行われる処理を説明するフローチャートである。
【図７】本発明の一実施形態として説明する、電力供給状態制御に際し無線ＩＣタグ１０によって行われる処理を説明するフローチャートである。
【図８Ａ】本発明の一実施形態として説明する無線ＩＣタグ１０の適用例を示す図である。
【図８Ｂ】本発明の一実施形態として説明する無線ＩＣタグ１０の適用例を示す図である。
【符号の説明】
【００５９】
１  子供見守りシステム                  １０  無線ＩＣタグ
１１  ＣＰＵ                            １２  メモリ
１３  受信部                            １４  送信部
１７  音声出力装置                      １８  電池
１９  ハードウエアスイッチ              ２０  ソフトウエアスイッチ
２１  電圧取得部                        ３０  基地局
４０  サーバ                            ５０  監視装置
１０１  バスライン                      １０２  電源供給ライン
３１０  電源オフ                        ３２０  スタンバイ
３３０  電源オン                        ４１１  タグＩＤ送信処理部
４１２  緊急通報処理部                  ４１３  電力供給状態制御部
４１４  電圧監視部
【図１】
2008123226.tif 000003
【図２】
2008123226.tif 000004
【図３】
2008123226.tif 000005
【図４】
2008123226.tif 000006
【図６】
2008123226.tif 000007
【図７】
2008123226.tif 000008
【図５Ａ】
2008123226.tif 000009
【図５Ｂ】
2008123226.tif 000010
【図８Ａ】
2008123226.tif 000011
【図８Ｂ】
2008123226.tif 000012